(57)【要約】【課題】  偏光板を通した被写体光を撮影して特殊効果画像を得る従来の撮像装置において、偏光板の取り付け／取り外しの操作が面倒であり、また、撮像前に偏光板を通した被写体画像の確認が必要であり、偏光板による特殊効果を撮影後に変えることができない。【解決手段】  ＰＢＳ３は被写体光に含まれるＳ偏光光とＰ偏光光とを分離し、分離したＳ偏光光Ｌ１とＰ偏光光Ｌ２をカラー撮像素子４、５に結像させて二つの被写体画像信号を出力される。これらの被写体画像信号は、画像信号処理回路６により所望の合成比率で合成されてビューファインダ７に供給される一方、記録媒体に記録される。このため、偏光板が不要となり、分離したＳ偏光光とＰ偏光光による二つの被写体画像信号の最適な合成比率を画像信号処理回路６に設定することで、撮像前に二つの偏光光の分離による特殊画像効果の確認が不要となる。また、撮影後に特殊効果画像の特殊効果を変更できる。【選択図】            図１
2007028224.tif 000002
【特許請求の範囲】
【請求項１】
撮影レンズを通過した被写体光を第１及び第２の撮像素子で撮像して得られた第１及び第２の画像信号に基づいて撮像画像信号を出力する２板式の撮像装置において、
前記撮影レンズを通過した前記被写体光を、第１の偏光光を主体とする第１の被写体光及び第２の偏光光を主体とする第２の被写体光にそれぞれ分離して、分離した前記第１の被写体光を前記第１の撮像素子に結像すると共に、分離した前記第２の被写体光を前記第２の撮像素子に結像する偏光分離光学系と、
前記第１の撮像素子から出力される第１の画像信号と、前記第２の撮像素子から出力される第２の画像信号とを所望の比率で合成処理して前記撮像画像信号として出力する機能と、前記第１及び第２の画像信号をそれぞれ記録媒体に記録する機能とを備えた画像処理手段と
を有することを特徴とする撮像装置。
【請求項２】
前記撮影レンズと前記偏光分離光学系との間の光路中に、前記偏光分離光学系に入射する前記被写体光に含まれる直線偏光成分の角度を制御するための１／２波長位相差板を設置すると共に、前記１／２波長位相差板を、その入射光の光軸に平行な軸を回転軸として回転自在に構成したことを特徴とする請求項１記載の撮像装置。
【請求項３】
前記１／２波長位相差板を、その入射光の光軸に平行な軸を回転軸として指示された回転角だけ回転駆動する駆動手段と、前記第１及び第２の撮像素子に入射した被写体全体のあるいは一部の光束の差を検出し、その検出した光束の差が最大となるように、前記駆動手段を制御して前記１／２波長位相板を回転制御する制御手段とを有することを特徴とする請求項２記載の撮像装置。
【発明の詳細な説明】
【技術分野】
【０００１】
本発明は撮像装置に係り、特に撮像素子を２枚使用して被写体像を撮像する２板式撮像装置に関する。
【背景技術】
【０００２】
従来より、撮像素子を２枚使用して被写体像を撮像する２板式撮像装置が知られている（例えば、特許文献１参照）。図５は上記の特許文献１記載の２板式の従来の撮像装置の一例の概略構成図を示す。同図において、２板式撮像装置２０は、撮影レンズ２１の光出射側に配置されたビームスプリッタ２２、ビームスプリッタ２２の光入射面と２つの光出射面の一方にそれぞれ設けられた位相差板２３及び２４、光学ローパスフィルタ（ＬＰＦ）２５、ダミーガラス２６、２枚の撮像素子２７及び２８、画像処理回路２９などから構成される。
【０００３】
この２板式撮像装置２０においては、撮影レンズ２１を透過した被写体からの光に含まれる直線偏光が位相差板２３により円偏光に変換された後、ビームスプリッタ２２に入射してその偏光膜で一部が反射し残りが透過することにより２分割され、偏光膜を透過した被写体光に含まれる直線偏光は位相差板２４を透過する際に円偏光に変換されて光学ＬＰＦ２５を透過して撮像素子２７の受光面に入射し、偏光膜で反射した円偏光の被写体光はダミーガラス２６を透過して撮像素子２８の受光面に入射する。光学ＬＰＦ２５の複屈折作用により撮像素子２７の受光面上には２重像が形成される。
【０００４】
ダミーガラス２６は、撮影レンズ２１から撮像素子２７及び２８の受光面までの空気換算光路長が互いに等しくなるように屈折率と厚さとが定められる。撮像素子２７及び２８で光電変換して得られた映像信号は画像処理回路２９に供給されて画像処理されて、単板式撮像装置より高解像度で偽色の減じられた映像信号が生成される。
【０００５】
従来の撮像装置では、被写体からの反射光を意図的に制限して撮像することが行われている。これは太陽光や一般の光源（白熱電球、ハロゲンランプ、水銀ランプ等）は不定偏光光であるが、その光源で被写体を照明したとき被写体で反射した光束は、多かれ少なかれ偏った振動を持つ光束となっており、反射による光の偏光の法則（ブリュースターの法則）により、光束の入射角と出射角が作る平面に平行な振動を持つ光束（Ｐ偏光光）は透過し易く、垂直方向の振動を持つ光束（Ｓ偏光光）は反射し易いという特徴があり、特に図６に示すように出射光（反射光）と吸収屈折光とのなす角度が９０°（このとき、光束の入射角をブリュースター角と呼ぶ）になるとき出射光（反射光）は完全平面波となるため、偏光板（偏光フィルタ）を使用して反射光の中のＳ偏光光あるいはＰ偏光光を強調して取り込むことで、「見たまま」を撮像するのではなく、撮影者の意図する「絵作り」を行うための色々な効果が得られるからである。
【０００６】
この場合、図７に示すように、カラー撮像素子３４を内蔵する撮像装置の筐体３１の前方に設けられた撮像レンズ３３の光入射側レンズ表面、あるいは撮像レンズ３３が大口径レンズの場合はレンズ鏡筒内に偏光板３２を設置し、この偏光板３２を入射光の光軸を回転軸とする回転機構（図示せず）により回転可能な構造とし、撮像前に偏光板３２を回転機構により逐次回転しながら所望の被写体を撮像し、ビューファインダで偏光板３２を通した被写体画像を見て、反射光のレベルを抑えるか強調するかを確認し、意図した効果が得られるところで偏光板３２の回転を停止して撮像を開始するようにしている。
【０００７】
なお、上記の偏光板３２の効果の具体例としては、街中のショーウィンドウの中にあるマネキン人形を撮影しようとした場合、ショーウィンドウに反射して映り込む街路はＳ偏光光をカット（吸収）し、Ｐ偏光光を通す向きに偏光板３２を合わせることで、ショーウィンドウ内のマネキン人形が強調され、同じ撮影フレーム（アングル）でもＳ偏光光を通しＰ偏光光をカットする向きに偏光板３２を合わせることで、ショーウィンドウに映り込む街路映像が強調され、内部のマネキン人形は抑えられた映像となり、ショーウィンドウを含め外の街が主体となった撮影になる。また、光沢のある葉の表面からの反射光をカットし、花や鳥などの色彩を鮮やかにする撮影にも用いられる。
【０００８】
【特許文献１】特開２０００−３５４２５１号公報
【発明の開示】
【発明が解決しようとする課題】
【０００９】
しかしながら、従来の撮像装置において、偏光板３２は通常の撮像には不要であり、そのままでは被写体からの入射光の光量が半減してしまうため、必要に応じて取り付け／取り外しを行っている。しかし、この偏光板３２は撮影レンズ３３の前端のフィルタ取り付けネジを利用して取り付け／取り外しを行うため、取り付け／取り外しの操作が面倒である。
【００１０】
また、従来の撮像装置では、偏光板３２による特殊効果撮像では、被写体からの放射光（光源で被写体を照明したとき被写体で反射した光束）に含まれる偏光成分のバランスを崩した撮像を行うために、撮像前に偏光板３２を通した被写体画像が所望の偏光光成分を強調した画像となっているかを確認しなければならない。
【００１１】
また、撮像直後に撮像装置に設けられたモニタ（一般的には１〜２インチの液晶表示素子）で撮像された画像を確認できるが、周辺環境の明るさやモニタが小型であるため、画像の細部の確認ができない。更に、偏光板３２により特殊効果撮像して得られた画像データを、撮像装置に内蔵又は着脱自在な半導体メモリやハードディスクメモリ、磁気テープ、光ディスク等の記録媒体に記録し、その記録媒体を他の装置で再生した場合に、偏光板による特殊効果を変えることはできないという問題もある。
【００１２】
更に、特許文献１記載の撮像装置では、位相差板として１／４波長板を設け、これにより被写体に含まれる直線偏光成分を解消して円偏光とし、後段のＰＢＳでバランスよく分離させる構成であるが、直線偏光成分が被写体光に含まれていると分離バランスが崩れてしまう。
【００１３】
本発明は以上の点に鑑みなされたもので、偏光板の取り付け／取り外しの操作や撮像前の偏光板を通した被写体画像の確認を不要にし得る撮像装置を提供することを目的とする。
【００１４】
また、本発明の他の目的は、大型モニタでの撮像画像確認を可能とし、また特殊効果を変更可能な撮像装置を提供することにある。
【００１５】
更に、本発明の他の目的は、偏光ビームスプリッタに入射する被写体光に含まれるＰ偏光成分及びＳ偏光成分を最適に分離し得る撮像装置を提供することにある。
【課題を解決するための手段】
【００１６】
上記の目的を達成するため、本発明の撮像装置は、撮影レンズを通過した被写体光を第１及び第２の撮像素子で撮像して得られた第１及び第２の画像信号に基づいて撮像画像信号を出力する２板式の撮像装置において、撮影レンズを通過した被写体光を、第１の偏光光を主体とする第１の被写体光及び第２の偏光光を主体とする第２の被写体光にそれぞれ分離して、分離した第１の被写体光を第１の撮像素子に結像すると共に、分離した第２の被写体光を第２の撮像素子に結像する偏光分離光学系と、第１の撮像素子から出力される第１の画像信号と、第２の撮像素子から出力される第２の画像信号とを所望の比率で合成処理して撮像画像信号として出力する機能と、第１及び第２の画像信号をそれぞれ記録媒体に記録する機能とを備えた画像処理手段とを有することを特徴とする。
【００１７】
この発明では、被写体光を第１の偏光光を主体とする第１の被写体光及び第２の偏光光を主体とする第２の被写体光にそれぞれ分離して、それぞれ第１の撮像素子と第２の撮像素子に入射し、それら第１の撮像素子と第２の撮像素子から出力される第１及び第２の画像信号を所望の比率で合成処理した合成画像信号を得ることができると共に、第１及び第２の画像信号を記録媒体に記録することができる。
【００１８】
また、上記の目的を達成するため、本発明は、撮影レンズと偏光分離光学系との間の光路中に、偏光分離光学系に入射する被写体光に含まれる直線偏光成分の角度を制御するための１／２波長位相差板を設置すると共に、１／２波長位相差板を、その入射光の光軸に平行な軸を回転軸として回転自在に構成したことを特徴とする。この発明では、１／２波長位相差板により入射被写体光に含まれる直線偏光成分の角度を制御することができる。
【００１９】
また、上記の目的を達成するため、本発明は、上記の１／２波長位相差板を、その入射光の光軸に平行な軸を回転軸として指示された回転角だけ回転駆動する駆動手段と、上記の第１及び第２の撮像素子に入射した被写体全体のあるいは一部の光束の差を検出し、その検出した光束の差が最大となるように、駆動手段を制御して１／２波長位相板を回転制御する制御手段とを有することを特徴とする。
【００２０】
この発明では、第１及び第２の撮像素子に入射した被写体全体のあるいは一部の光束の差を検出し、その検出した光束の差が最大となるように、駆動手段を制御して１／２波長位相板を回転制御するようにしたため、偏光分離光学系により被写体光から第１の偏光光と第２の偏光光とを最適に分離することができる。
【発明の効果】
【００２１】
本発明によれば、偏光分離光学系により被写体光を第１の偏光光を主体とする第１の被写体光及び第２の偏光光を主体とする第２の被写体光にそれぞれ分離して、それぞれ第１の撮像素子と第２の撮像素子に入射し、それら第１の撮像素子と第２の撮像素子から出力される第１及び第２の画像信号を所望の比率で合成処理した合成画像信号を得るようにしているため、偏光板を取り付ける作業や操作する作業を行うことなく、撮影者が意図する任意の特殊効果画像を得ることができ、またその時の合成比率を画像処理手段に設定することで、撮影前の特殊効果画像の確認を不要にできる。
【００２２】
また、本発明によれば、上記の第１及び第２の画像信号を記録媒体に記録することにより、その記録媒体から再生した第１及び第２の画像信号を他の装置（例えば、パソコン）で取り込んで合成し、その合成画像を大型のモニタで確認できるため、従来に比べて特殊効果画像の細部の確認ができ、また、撮影後でも上記の再生した第１及び第２の画像信号の合成比率を変更することで、特殊効果画像を変更することができる。
【００２３】
更に、本発明によれば、偏光分離光学系により被写体光に含まれる偏光光を分離するようにしているため、１／４波長板を使って被写体光に含まれる偏光光成分を解消してできるだけ同じ光成分に２分割する従来装置に比べて、直線偏光光成分が被写体光に含まれていても分離バランスが崩れることなく、偏光光の分離が最適にできる。
【００２４】
また、本発明によれば、１／２波長位相差板を回転調整をすることにより、第１及び第２の撮像素子に常に最適に分離した第１の偏光光及び第２の偏光光（Ｓ偏光光及びＰ偏光光）を導くことができ、撮像装置を傾けた時あるいは縦横を変えて撮像しても常に最適なＳおよびＰ偏光光を撮像でき、その結果、ネイチャー写真等における水面からの反射光の抑制や強調、画像彩度の向上等の効果を得ることができる。
【発明を実施するための最良の形態】
【００２５】
次に、本発明の実施の形態について図面と共に説明する。
【００２６】
（第１の実施の形態）
図１は本発明になる撮像装置の第１の実施の形態の構成図を示す。同図において、本実施の形態の撮像装置は、筐体１内に設けた２枚のカラー撮像素子４及び５を使用して被写体像を撮像する２板式撮像装置であり、筐体１内には上記のカラー撮像素子４及び５の他に、撮影レンズ２、偏光ビームスプリッタ（ＰＢＳ）３、画像信号処理回路６及びビューファインダ７が設けられている。
【００２７】
ＰＢＳ３は偏光膜３ａにより図２に示す透過／反射特性を有する。同図中、二点鎖線Iは、偏光膜３ａで反射した反射光中のＳ偏光光の特性、実線IIは偏光膜３ａを透過した透過光中のＰ偏光光の特性、実線IIIは上記反射光中のＰ偏光光の特性、実線IVは上記透過光中のＳ偏光光の特性を示す。同図から分かるように、入射光の波長が４５０ｎｍ〜６５０ｎｍの範囲内では、ＰＢＳ３はＳ偏光光を反射し、Ｐ偏光光を透過する。
【００２８】
次に、図１の構成の第１の実施の形態の撮像装置の動作について説明する。光源で照明され、被写体の表面で反射された被写体からの放射光（被写体光）は、撮影レンズ２を透過して入射光ＬとしてＰＢＳ３に入射し、その偏光膜３ａにより図２と共に説明したように、入射光Ｌ中のＳ偏光光Ｌ１が反射されてＰＢＳ３の第一の主面から出射して第１のカラー撮像素子４に入射結像すると共に、入射光Ｌ中のＰ偏光光Ｌ２が透過してＰＢＳ３の第二の主面から出射して第２のカラー撮像素子５に入射結像する。
【００２９】
カラー撮像素子４は入射したＳ偏光光Ｌ１を光電変換した後、所定の信号処理を行って第１の画像信号を生成して画像信号処理回路６に供給する。一方、これと並行してカラー撮像素子５は入射したＰ偏光光Ｌ２を光電変換した後、所定の信号処理を行って第２の画像信号を生成して画像信号処理回路６に供給する。画像信号処理回路６は、入力された第１の画像信号と第２の画像信号とをそれぞれ出力端子８を介して図示しない記録媒体（内蔵又は着脱自在の半導体メモリ、ハードディスクメモリ、磁気テープ、光ディスクなど）に記録したり、パーソナルコンピュータ（以下、パソコンと略す）に供給すると共に、それら第１及び第２の画像信号を指示された合成比率で合成して合成画像信号を得た後、その合成画像信号をビューファインダ７に供給して表示させる。なお、合成画像信号を記録媒体に記録したりパソコンに供給することも可能である。
【００３０】
これにより、ビューファインダ７にはＳ偏光光とＰ偏光光による二つの被写体画像信号の合成画像が表示される。このビューファインダ７の表示画像により、Ｓ偏光光とＰ偏光光とが最適に分離されているかの確認が、それぞれの画像が見えるか否かで確認できる。
【００３１】
また、出力端子８から出力されたＳ偏光光とＰ偏光光による二つの被写体画像信号はパソコンに供給され、そのパソコンに接続された大型モニタで二つの被写体画像信号を合成した被写体合成画像の確認操作ができ、必要に応じて画像信号処理回路６におけるＳ偏光光とＰ偏光光による二つの被写体画像信号の合成比率を可変制御する制御信号をパソコンにより生成して、入力端子９を介して画像信号処理回路６に供給することにより、撮影者が意図する特殊効果画像が得られる。
【００３２】
このように、本実施の形態によれば、ＰＢＳ３による偏光分離光学系により被写体光に含まれるＳ偏光光とＰ偏光光とを積極的に分離し、分離したＳ偏光光とＰ偏光光による二つの被写体画像信号の合成比率を画像信号処理回路６にて可変するようにしたため、従来の撮像装置のように撮影レンズ２のレンズ表面や撮影レンズ２内に偏光板を取り付けたり、取り外したりする操作が不要であり、また、分離したＳ偏光光とＰ偏光光による二つの被写体画像信号の最適な合成比率を画像信号処理回路６に設定することで、撮像時に二つの偏光光の分離による特殊画像効果の確認が不要である。
【００３３】
更に、本実施の形態によれば、撮影記録した合成画像信号をパソコンに等に取り込み、大型モニタで確認操作することができるため、画像の細部の確認ができる。更に、本実施の形態では、偏光板を用いて特殊効果撮像して得られた画像信号だけを記録媒体に記録し、特殊効果撮像に用いられない偏光光成分は捨ててしまう従来装置とは異なり、被写体光のＳ偏光光とＰ偏光光の両方を捨てることなく、ＰＢＳ３で両偏光光成分を明確に分離して記録媒体に記録するため、その記録媒体を他の装置で再生して、両偏光光の合成比率を変えることで最終的に特殊効果画像を得るようにしているため、特殊効果画像の変更が撮像後にもできる。
【００３４】
なお、本実施の形態では、ＰＢＳ３で被写体光の光束をＳ偏光光とＰ偏光光とに２分割したが、反射型偏光板による分離でも同じ効果が得られる。更に、２つのカラー撮像素子４、５を１／２画素ずらし、画像信号処理部６で画素間補間を行うことにより高精細の画像データを得ることができる。
【００３５】
（第２の実施の形態）
図３は本発明になる撮像装置の第２の実施の形態の構成図を示す。同図中、図１と同一構成部分には同一符号を付し、その説明を省略する。図３に示す第２の実施の形態の撮像装置は、筐体１内の撮影レンズ２とＰＢＳ３の光入射面との間の光路に、撮影レンズ２側から順に１／２波長（λ／２）位相差板１１及び光学ローパスフィルタ（ＬＰＦ）１２を配置すると共に、ＰＢＳ３の出射側の第一の主面に偏光板１３を設け、かつ、ＰＢＳ３の出射側の第二の主面に光路長調整板１４を設けることにより、撮像性能、操作性を向上させた点に特徴がある。
【００３６】
λ／２位相差板１１は、被写体光に含まれる直線偏光成分の角度を（偏光膜３ａに入射する）を制御するための光学部品であり、撮像装置の姿勢（横構えあるいは縦構え等）や被写体からの反射光（被写体光）の状況に応じて、その被写体光に含まれるＰ偏光光とＳ偏光光とが最適に分離されるように回転させて調整する。例えば、Ｓ偏光光を主体として受光するカラー撮像素子４では、入射する光束が一番大きくなるように回転調整をする。この回転調整は、ビューファインダ７での画像を見ながら行う。
【００３７】
カラー撮像素子４、５は所定の配列ピッチで並ぶ多数の画素によって構成されているため、高い空間周波を持つ偏光光が入射すると、偽信号や色モワレが発生する。これを防止するため、光学ＬＰＦ１２は被写体像中の高周波成分をカットする。偏光板１３は、偏光膜３ａの特性をカバーするために、ＰＢＳ３とカラー撮像素子４の間に挿入されている。
【００３８】
前述したように、偏光膜３ａを備えたＰＢＳ３の透過／反射特性は図２に示されるが、その中の透過光束はIIで示すＰ偏光光が主体で、Ｓ偏光光はIVで示すように透過率０％付近に張り付いており、透過光束に殆ど含まれていないが、反射光束には、Iで示すＳ偏光光が主体であるが、Ｐ偏光光もIIIで示すように若干含まれている。この反射光束中の不要な反射Ｐ偏光光成分を除去するために、吸収型偏光板１３が反射光束が出射されるＰＢＳ３の第一主面側に設置されている。
【００３９】
また、カラー撮像素子５とＰＢＳ３の間に配置された光路長調整板１４は、カラー撮像素子４側に配置した偏光板１３による光路長の増加に対応して光路長を調整するための光学部品であり、ＰＢＳ３の透過光路長を変えても代用できる。
【００４０】
この実施の形態では、ビューファインダ７の合成画像を見ながらλ／２位相差板１１を、入射光の光軸方向を回転軸として回転することにより、被写体光に含まれる直線偏光成分の角度を制御し、これにより被写体光に含まれるＳ偏光光とＰ偏光光とを常に最適に分離できる。また、第１の実施の形態と同様の特長を有する。
【００４１】
（第３の実施の形態）
図４は本発明になる撮像装置の第３の実施の形態の構成図を示す。同図中、図１と同一構成部分には同一符号を付し、その説明を省略する。図４に示す実施の形態の撮像装置は、λ／２位相差板１１を入射光の光軸方向を回転軸として回転駆動するモータ１６を含む駆動系を設け、カラー撮像素子４、５から出力される画像信号が供給される画像信号処理回路１５の出力信号でモータ１６を回転制御し、被写体光束に含まれるＳ偏光光とＰ偏光光を最適に分離してカラー撮像素子４にＳ偏光光、カラー撮像素子５にＰ偏光光を入射させる点に特徴がある。
【００４２】
ここで、画像信号処理回路１５は、Ｓ偏光光とＰ偏光光による二つの被写体画像信号のレベル差が最大となるように、あるいは、カラー撮像素子４の信号出力が最大になるよう、あるいは、カラー撮像素子５の信号出力が最小になるように、モータ１６及びλ／２位相差板１１を回転制御する。
【００４３】
ここで、Ｓ偏光光とＰ偏光光による二つの被写体画像信号を所望の合成比率で合成して所望の特殊効果画像を得るのは、静止画記録時のみと思われるので、上記モータ１６及びλ／２位相差板１１を回転制御するタイミングは、シャッターの半押し状態の時、あるいは撮影待機時に常に行うのが望ましい（モード設定でユーザが切り替える。）。
【００４４】
本実施の形態によれば、撮像装置を傾けた時、あるいは縦横を替えて撮像しても、常に最適なＳ偏光光とＰ偏光光とを最適に分離して撮像できる。ところで、被写体からの反射光である被写体光のＳ偏光光やＰ偏光光は、反射面が比較的平滑な被写体の場合に顕著に現れ、光束が乱反射する反射面では起こり難い。通常の撮像において、上記の偏光の影響は、比較的光沢のある面、池、湖等の凪いだ水面、街中のショーウィンドウ、椿、楠、樫等の照葉樹林の葉表、乗用車・壁面等の塗装表面に強く現れる。従って、本実施の形態では、第１の実施の形態の効果に加えて、更にネイチャー写真等における水面等の上記の偏光の影響を強く受ける被写体からの反射光の抑制や強調、画像彩度の向上等の効果を得ることができる。
【００４５】
なお、本実施の形態では、カラー撮像素子４及び５の出力画像信号に基づき、画像信号処理回路１５の出力信号でモータ１６を回転してλ／２位相差板１１を回転制御したが、撮像素子の替わりに専用の光束受光素子を設けてλ／２位相差板１１を回転制御するようにしてもよい。
【図面の簡単な説明】
【００４６】
【図１】本発明装置の第１の実施の形態の構成図である。
【図２】偏光ビームスプリッタの一例の特性図である。
【図３】本発明装置の第２の実施の形態の構成図である。
【図４】本発明装置の第３の実施の形態の構成図である。
【図５】従来の撮像装置の一例の構成図である。
【図６】ブリュースターの法則の説明図である。
【図７】被写体光を意図的に制限して撮像する従来の撮像装置の一例の概略構成図である。
【符号の説明】
【００４７】
１  筐体
２  撮影レンズ
３  偏光ビームスプリッタ（ＰＢＳ）
４、５  カラー撮像素子
６、１５  画像信号処理回路
７  ビューファインダ
１１  λ／２位相差板
１２  光学ローパスフィルタ（ＬＰＦ）
１３  偏光板
１４  光路長調整板
１６  モータ
【図１】
2007028224.tif 000003
【図２】
2007028224.tif 000004
【図３】
2007028224.tif 000005
【図４】
2007028224.tif 000006
【図５】
2007028224.tif 000007
【図６】
2007028224.tif 000008
【図７】
2007028224.tif 000009